(57)【要約】      （修正有）【課題】本発明は、小型化（ロープロ化）を図り、パーミングし易い魚釣用電動リールを提供することを課題とする。【解決手段】本発明に係る魚釣用電動リール１００は、左右の側板２，２と、左右の側板２，２間の上部に介在する表示ケース２２と、を有するリール本体部１と、左右の側板２，２に回転自在に配置されたスプール９と、スプール９が回転する駆動力を生成するモータと、左右の側板２，２間の上部であって表示ケース２２の後方に配置され、モータの出力を調整するための回転操作部材１３と、表示部３２及び機能スイッチ３３を有する釣り情報装置３０と、を備え、表示部３２は、表示ケース２２に設けられ、機能スイッチ３３は、左右の側板２，２の少なくとも一方に設けられていることを特徴とする。【選択図】図１
2018110571.tif 000002
【特許請求の範囲】
【請求項１】
左右の側板と、前記左右の側板間の上部に介在する表示ケースと、を有するリール本体部と、
前記左右の側板に回転自在に配置されたスプールと、
前記スプールが回転する駆動力を生成するモータと、
前記左右の側板間の上部であって前記表示ケースの後方に配置され、前記モータの出力を調整するための回転操作部材と、
表示部及び機能スイッチを有する釣り情報装置と、
を備え、
前記表示部は、前記表示ケースに設けられ、
前記機能スイッチは、前記左右の側板の少なくとも一方に設けられていることを特徴とする魚釣用電動リール。
【請求項２】
前記機能スイッチは、前記側板に形成された凹部内に配置されていることを特徴とする請求項１に記載の魚釣用電動リール。
【請求項３】
前記凹部は、前記左右の側板のうち、ハンドルが設けられた側板とは反対側の側板に設けられていることを特徴とする請求項２に記載の魚釣用電動リール。
【請求項４】
前記側板は、少なくとも側面と上面とを備え、
前記凹部は、前記側面に形成されていることを特徴とする請求項２又は請求項３に記載の魚釣用電動リール。
【請求項５】
前記釣り情報装置の制御基板は、前記左右の側板のうち、少なくとも一方に設けられていることを特徴とする請求項１から請求項４に記載の魚釣用電動リール。
【請求項６】
左右の側板と、前記左右の側板間の上部に介在する表示ケースと、を有するリール本体部と、
前記左右の側板に回転自在に配置されたスプールと、
前記スプールが回転する駆動力を生成するモータと、
前記左右の側板間の上部であって前記表示ケースの後方に配置され、前記モータの出力を調整するための回転操作部材と、
前記表示ケース内に設けられた表示部を有する釣り情報装置と、
を備え、
前記回転操作部材の中心軸は、前記スプールの糸巻胴部において最も前方に位置する最前端よりも前方に位置していることを特徴とする魚釣用電動リール。
【請求項７】
前記釣り情報装置の機能スイッチは、前記左右の側板の少なくとも一方に設けられていることを特徴とする請求項６に記載の魚釣用電動リール。
【請求項８】
前記表示ケースの後方には、後方に延出して前記回転操作部材の両端を回転自在に支持する一対の延出部が形成され、
前記一対の延出部の上面には、親指を載置可能な載置面が形成されていることを特徴とする請求項５又は請求項７に記載の魚釣用電動リール。
【発明の詳細な説明】
【技術分野】
【０００１】
本発明は、魚釣用電動リールに関する。
【背景技術】
【０００２】
近年、深場での釣りに対応するための巻取り駆動用モータと、回転操作することでモータの出力を調整できる略円筒状部材（以下、回転操作部材という）と、を備えた魚釣用電動リールが広く普及している。
片手による操作性向上のため、回転操作部材をリール本体の左右の側板間の上部に配置したものが知られている。そして、このような魚釣用電動リールによれば、パーミングした状態（釣竿とリール本体と一緒に把持している状態）から親指だけを動かし、親指で回転操作部材を容易に操作できるようになっている。
【０００３】
ところで、魚釣用電動リールにおいては、釣糸計測情報や潮汐情報、水中探知情報など、釣りに関する様々な釣り情報を釣り人に知らせるため、表示部を備えた釣り情報装置を一般的に備えている。
たとえば、糸長計測情報には、スプールの回転数から導出した釣糸の繰り出し量や巻き取り量の情報が含まれる。
従来の魚釣用電動リールでは、リール本体の左右の側板間の上部に略箱形のケース本体が設けられ、その中に釣り情報装置の構成がまとめて格納されていた。
また、下記特許文献のケース本体は、後部に回転操作部材を回転自在に支持できるようになっている。
【先行技術文献】
【特許文献】
【０００４】
【特許文献１】特許第５６９８０６６号公報
【発明の概要】
【発明が解決しようとする課題】
【０００５】
しかしながら、従来技術によれば、回転操作部材がリール本体の上方へ大きく突出して配置される場合がある。
または、ケース本体内に、釣り情報装置のスイッチ（以下、機能スイッチという）及び制御基板が格納され、ケース本体の上下方向の厚みが大きくなる場合がある。
そして、これらが原因となって魚釣用電動リールのロープロ化（釣竿から径方向外側に突出する量の低減化）が妨げられていた。
以上から、一般的な両軸受型の魚釣用リールのようにパーミングし易い魚釣用電動リールの開発が望まれていた。
【０００６】
本発明は、このような課題を解決するために創作されたものであり、小型化（ロープロ化）を図り、パーミングし易い魚釣用電動リールを提供することを課題とする。
【課題を解決するための手段】
【０００７】
前記課題を解決するため、第１発明に係る魚釣用電動用リールは、左右の側板と、前記左右の側板間の上部に介在する表示ケースと、を有するリール本体部と、前記左右の側板に回転自在に配置されたスプールと、前記スプールが回転する駆動力を生成するモータと、前記左右の側板間の上部であって前記表示ケースの後方に配置され、前記モータの出力を調整するための回転操作部材と、表示部及び機能スイッチを有する釣り情報装置と、を備え、前記表示部は、前記表示ケースに設けられ、前記機能スイッチは、前記左右の側板の少なくとも一方に設けられていることを特徴とする。
【０００８】
前記第１発明によれば、表示ケースに機能スイッチが設けられていないため、表示ケースを肉薄にできる。このため、表示ケースの上面の位置を低く抑え、魚釣用電動リールのロープロ化を図ることができる。
また、表示ケースに機能スイッチが設けられていないことから、パーミングしている場合に親指が機能スイッチに接触して誤操作する、ということを回避できる。
さらに、表示ケースに機能スイッチが設けられていないことから、比較的大きな表示部を用いることができ、デザイン性向上と見易さ向上も図ることができる。
【０００９】
また、前記第１発明において、前記機能スイッチは、前記側板に形成された凹部内に配置されていることが好ましい。
【００１０】
前記構成によれば、機能スイッチが側板から突出する量を小さく抑えることができ、釣り人が意図せず、機能スイッチに接触することを防止できる。よって、誤操作を防止することができる。
【００１１】
また、前記第１発明において、前記凹部は、前記左右の側板のうち、ハンドルが設けられた側板とは反対側の側板に設けられていることが好ましい。
【００１２】
前記構成によれば、機能スイッチがハンドルに覆われることがないため、機能スイッチを操作し易く、釣果向上を図れる。
【００１３】
また、前記第１発明において、前記側板は、少なくとも側面と上面とを備え、前記凹部は、前記側面に形成されていることが好ましい。
【００１４】
前記構成によれば、釣り人がリール本体をパーミングする場合に親指を側板の上面に載せることができるため、親指が接触し難い側面に機能スイッチが配置されることとなり、誤操作の可能性が低くなる。
また、前記構成によれば、機能スイッチが側板の側面側に配置されるため、実釣り時に魚釣用リールを引っ繰り返した状態で地面等に置いたとしても機能スイッチが誤って押圧されることがなく、誤操作を防止できる。
【００１５】
また、前記第１発明において、前記釣り情報装置の制御基板は、前記左右の側板のうち、少なくとも一方に設けられていることが好ましい。
【００１６】
前記構成によれば、表示ケースを更に肉薄にでき、魚釣用リールのロープロ化をさらに図ることができる。
【００１７】
また、前記課題を解決するため、第２発明に係る魚釣用電動用リールは、左右の側板と、前記左右の側板間の上部に介在する表示ケースと、を有するリール本体部と、前記左右の側板に回転自在に配置されたスプールと、前記スプールが回転する駆動力を生成するモータと、前記左右の側板間の上部であって前記表示ケースの後方に配置され、前記モータの出力を調整するための回転操作部材と、前記表示ケース内に設けられた表示部を有する釣り情報装置と、を備え、前記回転操作部材の中心軸は、前記スプールの糸巻胴部において最も前方に位置する最前端よりも前方に位置していることを特徴とする。
【００１８】
ここで、スプールの外形は軸方向から視て円形を成しており、スプールの中心軸から前方に向うにつれて、スプールが占有する空間の高さが次第に低くなる。言い換えると、スプールに干渉することなく回転操作部材を配置できるスペースが下方に次第に拡大している。
よって、スプールの糸巻き胴部よりも回転操作部材の回転軸が前側にある第２発明によれば、回転操作部材を従来よりも低くなるように配置できる。この結果、回転操作部材による上方への突出量が低減でき、魚釣用リールのロープロ化を達成できる。
また、表示部が表示ケースに設けられているため、釣り人は、表示部の表示内容を視認し易い。
【００１９】
また、前記第２発明において、前記釣り情報装置の機能スイッチは、前記左右の側板の少なくとも一方に設けられていることが好ましい。
【００２０】
前記構成によれば、表示ケースに機能スイッチが設けられていないため、表示ケースを肉薄にできる。このため、表示ケースの上面の位置を低く抑え、魚釣用リールのロープロ化を図ることができる。
また、表示ケースに機能スイッチが設けられていないことから、パーミングする場合、親指が機能スイッチに接触して誤操作する、ということを回避できる。
さらに、表示ケースに機能スイッチが設けられていないことから、比較的大きな表示部を用いることができ、デザイン性向上と見易さ向上も図ることができる。
【００２１】
また、前記第１発明及び第２発明において、前記表示ケースの後方には、後方に延出して前記回転操作部材の両端を回転自在に支持する一対の延出部が形成され、前記一対の延出部の上面には、親指を載置可能な載置面が形成されていることが好ましい。
【００２２】
前記構成によれば、載置面から左右方向の内側へ親指を移動させると、一対の延出部間に配置された回転操作部材を操作することができる。よって、パーミングした状態から回転操作部材を操作することが極めて容易となり、魚釣り操作性の向上を図ることができる。
【発明の効果】
【００２３】
以上から、本発明によれば、小型化（ロープロ化）を図り、パーミングし易い魚釣用電動リールを提供することができる。
【図面の簡単な説明】
【００２４】
【図１】実施形態の魚釣用電動リールを上方から視た平面図である。
【図２】図１のＡ−Ａ線矢視断面図である。
【図３】パーミングした状態の魚釣用電動リールを右側から右側面図である。
【図４】パーミングした状態の魚釣用電動リールを上方から視た平面図である。
【発明を実施するための形態】
【００２５】
つぎに、本発明の魚釣用電動リールの実施形態について、図面を参照しながら説明する。また、釣り情報装置として、釣糸の繰り出し量や巻き取り量を計測する糸長計測装置を用いた例を挙げて説明する。
また、以下の説明において、「前後」「左右」を言うときは、図１に示した方向を基準とし、「上下」を言うときは、図２に示した方向を基準とする。また、同一の要素には同一の符号を用い、重複する説明は省略する。
【００２６】
図１に示すように、本実施形態に係る魚釣用電動リール１００は、左右に離間して配置される左右の側板２，２を有するリール本体１と、左側の側板２に回転自在に支持されるハンドル８と、左右の側板２，２間に配置されたスプール９、モータ１２（図２参照）、並びにジョグダイヤル１３と、糸長計測装置３０と、を備えている。
【００２７】
なお、上記したモータ１２は、スプール９を回転させるための駆動力を生成する電動機である。また、ジョグダイヤル１３は、操作方向の回転量を公知の角度センサ（ポテンションメータ、エンコーダ、非接触のセンサＩＣ等）で検出し、この検出値に基づいてモータ１２の出力をコントロールしたり、後述する表示部３２に表示される表示内容を変更したりするための円柱状の操作部材である。このジョグダイヤル１３は、特許請求の範囲に記載される回転操作部材に相当する。
本実施形態のモータ１２及びジョグダイヤル１３は公知であるため、詳細な説明は省略する。
【００２８】
リール本体１は、左右方向に延在する２つの支柱３，３（図２参照）と、２つの支柱３，３を左右両側から挟む左右のフレーム４，４と、左右のフレーム４，４のそれぞれの外側に配置される左右のサイドプレート５，５と、左右のフレーム４，４間の前側に配置固定されるケース本体２０と、フロントカバー２４と、が設けられている。
なお、側板２は、フレーム４とサイドプレート５とにより構成される。
【００２９】
図２に示すように、支柱３は、左右のフレーム４，４間の下側に配置され、左右方向に延在している。
２つの支柱３，３のそれぞれは、互いに前後方向に離間し、前後方向に延在する竿取付部３ａと一体に形成されている。
特に図示しないが、支柱３の両端には、左右のフレーム４，４を貫通するねじが螺合し、支柱３と左右のフレーム４，４とが一体化されている。なお、本発明において、支柱３と左右のフレーム４，４とが金型で一体成形されたものを用いてもよい。
なお、図３に示すように、竿取付部３ａが釣竿２００のリールシート２０１に取り付けられると、魚釣用電動リール１００は、釣竿２００の上側に配置される。
【００３０】
フレーム４は、上下方向及び前後方向に延在する金属板であり、側面視で前後方向に長い楕円形に形成されている。
図２に示すように、左右のフレーム４，４間の空間には、後側から順に、クラッチレバー１０，スプール軸１１、モータケース１２ａ、レベルワインド機構１４が設けられている。
【００３１】
クラッチレバー１０は、後述するクラッチ機構において、動力伝達機構の動力伝達状態と動力遮断状態とを切り換えるための操作レバーであり、作動範囲内で上下方向に移動自在に支持されている。
【００３２】
スプール軸１１の両端は、左右のフレーム４，４に設けられた軸受（不図示）により支持されている。このため、スプール軸１１は、回転自在になっている。
また、スプール軸１１に支持されるスプール９は、略円筒状を呈し釣糸が巻回される糸巻き胴部９ａと、糸巻き胴部９ａの両端に設けられた左右のフランジ部９ｂと、糸巻き胴部９ａの内周面から径方向内側に張り出してスプール軸１１に回り止め嵌合する内筒部９ｃと、を備えている。
また、スプール９は、左右のフレーム４，４間の空間において、前後方向の後寄りに配置されている。このため、左右の側板２，２間に形成される空間において、後側の大部分はスプール９により占有されている。
【００３３】
モータケース１２ａは、モータ１２を収納する円筒状部品である。
モータケース１２ａは、左右のフレーム４，４に一体に形成されている。
また、モータケース１２ａは、左右のフレーム４，４間の空間において、スプール９の前側であって上下方向の下寄りに配置されている。このため、モータケース１２ａの上方には、釣糸が通過可能な空間Ｓ１が形成されている。
なお、本実施形態において、図２に示すように、モータケース１２ａの上方の空間Ｓ１は、比較的大きく形成されている。このため、スプール９の糸巻き胴部９ａが小径であっても、モータケース１２ａの上方の空間Ｓ１に釣糸を通すことができる。
【００３４】
レベルワインド機構１４は、スプール９に巻回される釣糸を均等にするための装置である。レベルワインド機構１４は、公知のように、回転自在に装着された螺軸１４ａと、螺軸１４ａを覆う案内筒１４ｂと、案内筒１４ｂの外周面を摺動する釣糸案内体１５と、を備えている。
釣糸案内体１５には、内部を釣糸が通る環状の案内部１５ａが形成されている。
この案内部１５ａは、モータケース１２ａよりも上方に位置し、スプール９の糸巻き胴部９ａに巻回されている釣糸がモータケース１２ａの上部を通過するようにガイドしている（図２の破線Ａと破線Ｂとの間の領域Ｓ２を参照）。
よって、左右のフレーム４，４間の空間において、図２の破線Ａと破線Ｂとの間の領域Ｓ２は、釣糸が通過するための領域として確保されている。
【００３５】
つぎに、左右のサイドプレート５，５について説明する。
サイドプレート５は、左右方向内側に向って開口する箱状（有底筒状）の部品であり、フレーム４に図示しないねじにより固定され、フレーム４と一体になっている。よって、フレーム４とサイドプレート５とにより構成される側板２は、内部空間を有している。
以下、サイドプレート５において、フレーム４の左右方向の外側に離間し、フレーム４に対向する板状の壁部を対向壁部６と称する。
【００３６】
なお、ハンドル８が設けられている側（左側）の側板２内には、特に図示しないが、ハンドル８の回転操作による駆動力をスプール軸１１に伝達したり、モータ１２により生成された駆動力を減速してスプール軸１１に伝達したりする公知の動力伝達機構と、動力伝達機構の動力伝達状態と動力遮断状態とを切り換える公知のクラッチ機構と、が設けられている。
なお、本発明は、モータ１２により生成された駆動力を減速してスプール軸１１に伝達する公知の減速機構を一方の右側板２内に設けて構成してもよい。
【００３７】
図３に示すように、サイドプレート５においてハンドル８が設けられていない右側の対向壁部６は、側面視でフレーム４と同形状に形成され、前後方向に長く形成されている。
右側のサイドプレート５において、対向壁部６の右面（外面）６ａは、右側の側板２の右側面を構成している。
よって、対向壁部６の右面（外面）６ａの後側は、実釣時に釣り人がパーミングした場合、掌が当てられるようになっている。
【００３８】
対向壁部６の右面（外面）６ａは、対向壁部６の縁部から中心に向って緩やかに突出しており、丸みを帯びた面となっている。このため、パーミングした場合、掌を右側の側板２の右側面に当てやすく、把持性が向上している。
また、右側のサイドプレート５において、対向壁部６の右面（外面）６ａの中央部には、左側に向って窪む凹部６ｂが形成されている。
なお、上記した凹部６ｂについては後述する。
そのほか、右側のサイドプレート５の前側の下部には、モータ１２に電力を供給するための給電部１６が設けられている。
【００３９】
図３に示すように、ケース本体２０は、略箱状に形成され、左右の側板２，２の上面に載置されて水平かつ前後方向に延在する一対の水平部２１，２１と、一対の水平部２１，２１の前部に連続する表示ケース２２と、を備えている。
なお、ケース本体２０は、図示しないねじにより左右のフレーム４，４の上部に固定されている。また、一対の水平部２１，２１は、特許請求の範囲に記載される一対の延出部に相当する。
【００４０】
図４に示すように、水平部２１は、前後方向に長く形成されている。水平部２１の上面は、略平面状に形成され、親指を乗せることができる載置面となっている。
また、水平部２１は、平面視でスプール９の側方に位置し、サミングし易くなっている。つまり、釣糸放出時、水平部２１に載せている親指を左右の側板２，２間に進入させて、糸巻き胴部９ａに巻回される釣糸又はフランジ部９ｂに触れる動作を、スムーズに行うことができる。
【００４１】
一対の水平部２１，２１の前部２１ａ，２１ａは、モータ１２の出力の増減調整を行うジョグダイヤル１３の両端を回転自在に支持するダイヤル支持部を構成している。このため、図４に示すように、水平部２１に載せている親指を左方へスライドさせることで、ジョグダイヤル１３を容易に回動操作することができ、操作性向上が図られている。
【００４２】
図２に示すように、一対の水平部２１，２１は、ジョグダイヤル１３の外周面の最後端１３ａが、スプール９のフランジ部９ｂの外径の最前端（破線Ｄ１参照）よりも、前方に位置するように支持している。
つまり、一対の水平部２１，２１は、ジョグダイヤル１３がスプール９と上下方向に重なり合わないようにジョグダイヤル１３を支持している。
また、一対の水平部２１，２１は、ジョグダイヤル１３の外周面の最下端１３ｂが、スプール９のフランジ部９ｂの最上端（破線Ｄ２参照）よりも低くなるように支持している。
この結果、ジョグダイヤル１３は、スプール９に接触することなく、左右の側板２，２から上方に突出する量が低減するように低く抑えられている。
なお、左右の側板２，２から上方に突出する量が低減するために、ジョグダイヤル１３を小径とする方法も考えられるが、ジョグダイヤル１３を小径とすると操作性が悪くなるおそれがある。よって、実施形態によれば、大径に形成されたジョグダイヤル１３を用いることができ、魚釣り操作性を好適に確保している。
なお、本実施形態のジョグダイヤル１３は、領域Ｓ２よりも上方に位置するため、釣糸が接触しないようになっている。
【００４３】
表示ケース２２は、左右の側板２，２間の上部に位置しており、左右方向の中央部に位置しているケースである。
表示ケース２２は、上方に開口する箱状（有底筒状）であり、上方から視て、矩形状を呈している。表示ケース２２内には、後述する液晶表示部３２が格納され、表示ケース２２の開口部２２ａから液晶表示部の表示内容が視認可能になっている。
また、表示ケース２２の開口部２２ａは、ガラス等の透明部材２２ｂがシールされて嵌め込まれており、液晶表示部３２の防水が図られている。
【００４４】
フロントカバー２４は、左右のフレーム４，４間の前側に配置されて上下方向に延在し、左右のフレーム４，４の間に海水が侵入することを防止するためのものである。
また、フロントカバー２４には、上方に延びてケース本体２０と連結するための一対の連結部２４ａ，２４ａが形成されており、フロントカバー２４とケース本体２０とが一体的に当接連結されている。
よって、表示ケース２２と、一対の連結部２４ａ，２４ａと、フロントカバー２４とにより囲まれた開口部２５は、釣り糸が挿通するための空間となっている。
【００４５】
図１に示すように、糸長計測装置３０は、演算部が実装された制御基板３１と、演算部に演算された情報（例えば、釣糸の繰り出し量や巻き取り量）を表示する液晶表示部３２と、演算部が演算すべき情報を切り替える機能スイッチ３３とを備えている。
また、液晶表示部３２及び機能スイッチ３３は、配線を介して制御基板３１と電気的に接続している。
なお、図面では、液晶表示部３２と制御基板３１とを接続する配線３５（図３参照）を図示し、機能スイッチ３３と制御基板３１とを接続する配線の図を省略している。
【００４６】
液晶表示部３２は、表示ケース２２に格納され、魚釣用電動リール１００の左右方向の中央部に位置している。このため、釣り人は、液晶表示部３２の表示内容を視認し易くなっている。
また、機能スイッチ３３及び制御基板３１は、ハンドル８が設けられていない右側の側板２に配設及び収容されており、表示ケース２２に収容されず、液晶表示部３２と分離配置されている。
このため、表示ケース２２は、液晶表示部３２のみを収容できる大きさに形成されており、機能スイッチ３３や制御基板３１を配設、収容する従来の表示ケースよりも上下方向に肉薄化されている。
【００４７】
また、機能スイッチ３３は、側板２に形成された凹部６ｂ内に配置されている。このため、機能スイッチ３３が側板２から突出する量が抑えられ、釣り人が意図せず機能スイッチに接触すること、つまり、誤操作することが抑制される。
なお、図１に示すように、凹部６ｂの窪み量は、機能スイッチ３３の突出量よりも大きく、機能スイッチ３３が右側面６ａよりも右側に突出しないように配置することが誤操作防止及び握持保持性向上の面より好ましい。
【００４８】
また、機能スイッチ３３は、左右の側板２，２のうち、ハンドル８が設けられていない右側の側板２内に設けられている。このため、機能スイッチ３３はハンドル８に覆われることがなく、操作性が向上している。
【００４９】
ここで、凹部６ｂは、右側の側板２において側方を向く右側面６ａに形成されている。
よって、機能スイッチ３３は、図３、図４に示すように、例えば、ハンドル８が設けられていない側（右側）の側板２の上面に載せられる親指から離間し、誤操作を確実に防止できる。
また、図３に示すように、凹部６ｂは、右側面６ａの中央部に形成されており、パーミングしている右手の掌が当たらない部位に形成されている。このため、誤操作をより確実に防止できる。
【００５０】
以上、実施形態によれば、ジョグダイヤル１３及び表示ケース２２の位置が低く抑えられており、ロープロ化された魚釣用電動リール１００を提供することができる。
また、機能スイッチ３３は、リール本体１の上面側ではなく、側面側（側板２の右面６ａ）に設けられているため、実釣り時に魚釣用リール１００を引っ繰り返した状態で地面等に置いたとしても、機能スイッチ３３が誤って押圧されることがなく、誤操作を防止できる。
【００５１】
以上、実施形態について説明したが、本発明は実施形態で説明した例に限定されない。
例えば、ジョグダイヤル（回転操作部材）１３を低く抑える場合、ジョグダイヤル１３の配置する位置は、実施形態の例に限定されない。
詳細に説明すると、スプール９の外形は軸方向から視て円形を成し、スプール９の回転軸から前方に向うほど、スプール９の占有空間の高さが次第に低くなる。つまり、スプール９に干渉することなくジョグダイヤル１３を配置できるスペースが下方に次第に拡大している。
よって、少なくともジョグダイヤル１３の中心軸Ｏ１がスプール９の糸巻き胴部９ａの最前端（図２の破線Ｄ３参照）よりも前方に位置するように配置すれば、従来よりもジョグダイヤル１３の位置を低くでき、魚釣用電動リール１００のロープロ化を図ることができる。
このため、実施形態において、ジョグダイヤル１３の外周面の最後端１３ａを、スプール９のフランジ部９ｂの外径の最前端（図２の破線Ｄ１参照）よりも、前方に配置されているが、本発明はこれに限定されるものではない。
【００５２】
また、本実施形態の魚釣用電動リール１００は、ジョグダイヤル（回転操作部材）１３と表示ケース２２との両方を低く抑えているが、本発明は、ジョグダイヤル（回転操作部材）１３と表示ケース２２とのいずれか一方を低く抑えるように構成されていてもよい。
たとえば、ジョグダイヤル（回転操作部材）１３のみを低く抑える場合には、表示ケース２２に、制御基板３１や機能スイッチ３３を格納してもよい。
【００５３】
また、ジョグダイヤル１３は、ケース本体２０の一対の水平部２１，２１に形成された一対の支持部２１ａ，２１ａに回動可能に支持され、ケース本体２０とユニット化されているが、前記したジョグダイヤル１３の回転中心軸Ｏ１と糸巻き胴部９ａとの位置関係を構成できれば、左右の側板２，２に形成された支持部にジョグダイヤル１３を回動可能に支持させてもよい。
【００５４】
また、実施形態のリール本体１は、凹部６ｂを形成し、その凹部６ｂ内に機能スイッチ３３を配置しているが、本発明は凹部６ｂが形成されていないリール本体１であってもよい。
【００５５】
また、実施形態の凹部６ｂ及び機能スイッチ３３は、ハンドル８が設けられていない右側の側板２の側面６ａ以外に上面に設けられてもよいし、又は、ハンドル８が設けられた左側の側板２の側面又は上面に設けてもよい。更には、機能スイッチ３３は、左右の側板２，２に設けられていればよく、左右の側板２，２の上面に載置されるケース本体２０の水平部２１，２１に設けて表示部３２と離間配置してもよい。
【００５６】
また、本実施形態では、図２に示すように、レベルワインド機構１４がモータ１２よりも前側に配置されているが、スプール９とモータ１２との間に配置されてもよい。
【００５７】
また、本実施形態では、糸長計測装置３０を用いた例を挙げて説明したが、表示部及び機能スイッチを備えた釣り情報装置であれば、特に限定されない。
【符号の説明】
【００５８】
１      リール本体
２      側板
４      フレーム
５      サイドプレート（カバー部材）
６ａ    右側面
６ｂ    凹部
８      ハンドル
９      スプール
９ａ    糸巻き胴部
９ｂ    フランジ部
１０    クラッチ
１１    スプール軸
１２    モータ
１２ａ  モータケース
１３    ジョグダイヤル（回転操作部材）
１４    レベルワインド機構
１５    釣糸案内体
２０    ケース本体
２１    水平部（延出部）
２２    表示ケース
２４    フロントカバー
２５    開口部
３０    糸長計測装置（釣り情報装置）
３１    制御基板
３２    液晶表示部（表示部）
３３    機能スイッチ
１００  魚釣用電動リール
２００  釣竿
２０１  リールシート
【図１】
2018110571.tif 000003
【図２】
2018110571.tif 000004
【図３】
2018110571.tif 000005
【図４】
2018110571.tif 000006